(57)【要約】【課題】子カード（第２のカード）所持者による子カードの不正使用防止等が図れ、管理向上を図ることができる入退場管理システムを提供する。【解決手段】複数の管理エリアに対する入退場を親カード（第１のカード）およびこれに従属する子カード（第２のカード）を用いて管理する入退場管理システムにおいて、親カードおよび子カードの相互の位置関係を持たせることにより、子カード所持者の入退場を管理する。【選択図】      図１
2006059159.tif 000002
【特許請求の範囲】
【請求項１】
複数の管理エリアを有し、これら各管理エリアには互いに他の管理エリアへ移動するための出入口が設けられている施設において、前記各管理エリアに対する入退場を管理する入退場管理システムであって、
少なくとも検定情報が記録されている第１のカードと、
この第１のカードに従属し、少なくとも当該第１のカードの検定情報と所定の関係を持つ検定情報が記録されている第２のカードと、
前記複数の管理エリアの出入口にそれぞれ設置され、対応する管理エリアに対する入退場を管理する複数の入退場管理装置と、
これら複数の入退場管理装置とそれぞれ通信可能に接続された管理装置とから構成され、
前記入退場管理装置は、
第１のカード所持者が提示する第１のカードから検定情報を読取る第１の読取手段と、
この第１の読取手段により読取られた検定情報に基づき当該第１のカード所持者の目的とする管理エリアに対する通行の可否を判定する第１の判定手段と、
この第１の判定手段による判定の結果、当該第１のカード所持者に対し通行可と判定された場合、このときの当該第１のカードに係る通行履歴情報を前記管理装置へ送信する送信手段とを具備し、
前記管理装置は、
前記入退場管理装置の前記送信手段により送信された通行履歴情報を受信する第１の受信手段と、
この第１の受信手段により受信された通行履歴情報に基づき、当該第１のカード所持者の存在位置に対する第２のカード所持者の入場可能な管理エリアの制限や通行方向の制限などを行なうためのエリア許可検定情報を対象となる出入口に設置された入退場管理装置へ配信する配信手段とを具備し、
前記入退場管理装置は、さらに、
前記管理装置の前記配信手段により送信されたエリア許可検定情報を受信する第２の受信手段と、
第２のカード所持者が提示する第２のカードから検定情報を読取る第２の読取手段と、
この第２の読取手段により読取られた検定情報および前記第２の読取手段により受信されたエリア許可検定用情報に基づき当該第２のカード所持者の目的とする管理エリアに対する通行の可否を判定する第２の判定手段とを具備したことを特徴とする入退場管理システム。
【請求項２】
複数の管理エリアを有し、これら各管理エリアには互いに他の管理エリアへ移動するための出入口が設けられている施設において、前記各管理エリアに対する入退場を管理する入退場管理システムであって、
少なくとも検定情報が記録されている第１のカードと、
この第１のカードに従属し、少なくとも当該第１のカードの検定情報と所定の関係を持つ検定情報が記録されている第２のカードと、
前記複数の管理エリアの出入口にそれぞれ設置され、対応する管理エリアに対する入退場を管理する複数の入退場管理装置と、
これら複数の入退場管理装置とそれぞれ通信可能に接続された管理装置とから構成され、
前記入退場管理装置は、
第１のカード所持者が提示する第１のカードから検定情報を読取る第１の読取手段と、
この第１の読取手段により読取られた検定情報に基づき当該第１のカード所持者の目的とする管理エリアに対する通行の可否を判定する第１の判定手段と、
この第１の判定手段による判定の結果、当該第１のカード所持者に対し通行可と判定された場合、前記複数の管理エリアのうちのある管理エリア内に存在する第１のカード所持者が他の管理エリアに移動した際に、当該移動前の管理エリア内に第２のカード所持者が存在するか否かを判定する第２の判定手段と、
この第２の判定手段による判定の結果、第２のカード所持者が存在する場合、その旨を報知する報知手段と、
前記第２の判定手段による判定の結果、第２のカード所持者が存在しない場合、このときの当該第１のカードに係る通行履歴情報を前記管理装置へ送信する送信手段とを具備し、
前記管理装置は、
前記入退場管理装置の前記送信手段により送信された通行履歴情報を受信する第１の受信手段と、
この第１の受信手段により受信された通行履歴情報に基づき、当該第１のカード所持者の存在位置に対する第２のカード所持者の入場可能な管理エリアの制限や通行方向の制限などを行なうためのエリア許可検定情報を対象となる出入口に設置された入退場管理装置へ配信する配信手段とを具備し、
前記入退場管理装置は、さらに、
前記管理装置の前記配信手段により送信されたエリア許可検定情報を受信する第２の受信手段と、
第２のカード所持者が提示する第２のカードから検定情報を読取る第２の読取手段と、
この第２の読取手段により読取られた検定情報および前記第２の読取手段により受信されたエリア許可検定用情報に基づき当該第２のカード所持者の目的とする管理エリアに対する通行の可否を判定する第３の判定手段とを具備したことを特徴とする入退場管理システム。
【請求項３】
前記入退場管理装置は、さらに、
前記第２の判定手段による判定の結果、第２のカード所持者が存在する場合、あらかじめ設定される条件に基づき当該第１のカード所持者の目的とする管理エリアに対する通行の可否を判定する第４の判定手段を具備し、
前記送信手段は、前記第２の判定手段による判定の結果、第２のカード所持者が存在しない場合、あるいは、前記第４の判定手段による判定の結果、当該第１のカード所持者に対し通行可と判定された場合、このときの当該第１のカードに係る通行履歴情報を前記管理装置へ送信することを特徴とする請求項２記載の入退場管理システム。
【請求項４】
複数の管理エリアを有し、これら各管理エリアには互いに他の管理エリアへ移動するための出入口が設けられている施設において、前記各管理エリアに対する入退場を管理する入退場管理方法であって、
少なくとも検定情報が記録されている第１のカードと、この第１のカードに従属し、少なくとも当該第１のカードの検定情報と所定の関係を持つ検定情報が記録されている第２のカードと、前記複数の管理エリアの出入口にそれぞれ設置され、対応する管理エリアに対する入退場を管理する複数の入退場管理装置と、これら複数の入退場管理装置とそれぞれ通信可能に接続された管理装置とを有し、
前記入退場管理装置により、第１のカード所持者が提示する前記第１のカードから検定情報を読取る第１の読取ステップと、
前記入退場管理装置により、前記第１の読取ステップにより読取られた検定情報に基づき当該第１のカード所持者の目的とする管理エリアに対する通行の可否を判定する第１の判定ステップと、
前記入退場管理装置により、前記第１の判定ステップによる判定の結果、当該第１のカード所持者に対し通行可と判定された場合、このときの当該第１のカードに係る通行履歴情報を前記管理装置へ送信する送信ステップと、
前記管理装置により、前記送信ステップにより送信された通行履歴情報を受信する第１の受信ステップと、
前記管理装置により、前記第１の受信ステップにより受信された通行履歴情報に基づき、当該第１のカード所持者の存在位置に対する第２のカード所持者の入場可能な管理エリアの制限や通行方向の制限などを行なうためのエリア許可検定情報を対象となる出入口に設置された入退場管理装置へ配信する配信ステップと、
前記入退場管理装置により、前記配信ステップにより送信されたエリア許可検定情報を受信する第２の受信ステップと、
前記入退場管理装置により、前記第２のカード所持者が提示する第２のカードから検定情報を読取る第２の読取ステップと、
前記入退場管理装置により、前記第２の読取ステップにより読取られた検定情報および前記第２の読取ステップにより受信されたエリア許可検定用情報に基づき当該第２のカード所持者の目的とする管理エリアに対する通行の可否を判定する第２の判定ステップとを具備したことを特徴とする入退場管理方法。
【請求項５】
複数の管理エリアを有し、これら各管理エリアには互いに他の管理エリアへ移動するための出入口が設けられている施設において、前記各管理エリアに対する入退場を管理する入退場管理方法であって、
少なくとも検定情報が記録されている第１のカードと、この第１のカードに従属し、少なくとも当該第１のカードの検定情報と所定の関係を持つ検定情報が記録されている第２のカードと、前記複数の管理エリアの出入口にそれぞれ設置され、対応する管理エリアに対する入退場を管理する複数の入退場管理装置と、これら複数の入退場管理装置とそれぞれ通信可能に接続された管理装置とを有し、
前記入退場管理装置により、第１のカード所持者が提示する前記第１のカードから検定情報を読取る第１の読取ステップと、
前記入退場管理装置により、前記第１の読取ステップにより読取られた検定情報に基づき当該第１のカード所持者の目的とする管理エリアに対する通行の可否を判定する第１の判定ステップと、
前記入退場管理装置により、前記第１の判定ステップによる判定の結果、当該第１のカード所持者に対し通行可と判定された場合、前記複数の管理エリアのうちのある管理エリア内に存在する第１のカード所持者が他の管理エリアに移動した際に、当該移動前の管理エリア内に第２のカード所持者が存在するか否かを判定する第２の判定ステップと、
前記入退場管理装置により、前記第２の判定ステップによる判定の結果、第２のカード所持者が存在する場合、その旨を報知する報知ステップと、
前記入退場管理装置により、前記第２の判定ステップによる判定の結果、第２のカード所持者が存在しない場合、このときの当該第１のカードに係る通行履歴情報を前記管理装置へ送信する送信ステップと、
前記管理装置により、前記送信ステップにより送信された通行履歴情報を受信する第１の受信ステップと、
前記管理装置により、前記第１の受信ステップにより受信された通行履歴情報に基づき、当該第１のカード所持者の存在位置に対する第２のカード所持者の入場可能な管理エリアの制限や通行方向の制限などを行なうためのエリア許可検定情報を対象となる出入口に設置された入退場管理装置へ配信する配信ステップと、
前記入退場管理装置により、前記配信ステップにより送信されたエリア許可検定情報を受信する第２の受信ステップと、
前記入退場管理装置により、前記第２のカード所持者が提示する第２のカードから検定情報を読取る第２の読取ステップと、
前記入退場管理装置により、前記第２の読取ステップにより読取られた検定情報および前記第２の読取ステップにより受信されたエリア許可検定用情報に基づき当該第２のカード所持者の目的とする管理エリアに対する通行の可否を判定する第２の判定ステップとを具備したことを特徴とする入退場管理方法。
【発明の詳細な説明】
【技術分野】
【０００１】
本発明は、たとえば、複数の管理エリア（作業エリア）を有し、これら各管理エリアには互いに他の管理エリアへ移動するための出入口が設けられている施設（空港や港湾など）において、上記各管理エリアに対する入退場を親カード（第１のカード）およびこれに従属する子カード（第２のカード）を用いて管理する入退場管理システムおよび入退場管理方法に関する。
【背景技術】
【０００２】
たとえば、広域にわたって管理する領域を持つ施設（たとえば、空港、港湾、共同施設など）においては、工事などにより不特定の多数の人員（作業者など）が出入りすることがある。この場合、管理責任者が所有する親カード（管理者ＩＤカード）とそれに従属する子カード（従属者ＩＤカード）により、管理する施設内の各作業エリア（管理エリア）への入退場を管理する入退場管理システムが実用化されている。
【０００３】
従来の親カードおよび子カードを用いた入退場管理システムでは、あらかじめ登録された作業エリアへの入場は親カード所持者が通行ゲート（検定箇所）に設置されたカードリーダにより、管理責任者が携帯する親カードらの検定情報の読取りを行ない、入退場コントローラにより検定情報による通行可否の判定を行ない、通行可の判定がなされた場合には電気錠などの解錠制御および扉の開閉制御を行ない、さらに当該親カードに従属する子カードの通行許可などを行なうものである。  
また、子カード所持者の作業エリアからの退場は、退場許可ないし不許可を与えることで、子カード所持者の作業エリアへの入場が不可能になるもので、相互の位置関係については持たないものである。  
【特許文献１】特開２００１−３０６９７６号公報
【発明の開示】
【発明が解決しようとする課題】
【０００４】
しかし、従来の親カードおよび子カードを用いた入退場管理システムでは、たとえば、親カードで複数の作業エリアへの入場許可などを行なってしまった場合、子カードの制限される作業エリアが広くなり、不正使用などにつながるという問題があった。  
このため、親カードおよび子カードの入退場可能な作業エリアの登録は、管理サーバで管理していたが、不正使用などを防止するため、その都度変更などで対処し、管理サーバから各入退場コントローラに送信する必要があった。
【０００５】
そこで、本発明は、子カード（第２のカード）所持者による子カードの不正使用防止等が図れ、管理向上を図ることができる入退場管理システムおよび入退場管理方法を提供することを目的とする。
【課題を解決するための手段】
【０００６】
本発明の入退場管理システムは、複数の管理エリアを有し、これら各管理エリアには互いに他の管理エリアへ移動するための出入口が設けられている施設において、前記各管理エリアに対する入退場を管理する入退場管理システムであって、少なくとも検定情報が記録されている第１のカードと、この第１のカードに従属し、少なくとも当該第１のカードの検定情報と所定の関係を持つ検定情報が記録されている第２のカードと、前記複数の管理エリアの出入口にそれぞれ設置され、対応する管理エリアに対する入退場を管理する複数の入退場管理装置と、これら複数の入退場管理装置とそれぞれ通信可能に接続された管理装置とから構成され、前記入退場管理装置は、第１のカード所持者が提示する第１のカードから検定情報を読取る第１の読取手段と、この第１の読取手段により読取られた検定情報に基づき当該第１のカード所持者の目的とする管理エリアに対する通行の可否を判定する第１の判定手段と、この第１の判定手段による判定の結果、当該第１のカード所持者に対し通行可と判定された場合、このときの当該第１のカードに係る通行履歴情報を前記管理装置へ送信する送信手段とを具備し、前記管理装置は、前記入退場管理装置の前記送信手段により送信された通行履歴情報を受信する第１の受信手段と、この第１の受信手段により受信された通行履歴情報に基づき、当該第１のカード所持者の存在位置に対する第２のカード所持者の入場可能な管理エリアの制限や通行方向の制限などを行なうためのエリア許可検定情報を対象となる出入口に設置された入退場管理装置へ配信する配信手段とを具備し、前記入退場管理装置は、さらに、前記管理装置の前記配信手段により送信されたエリア許可検定情報を受信する第２の受信手段と、第２のカード所持者が提示する第２のカードから検定情報を読取る第２の読取手段と、この第２の読取手段により読取られた検定情報および前記第２の読取手段により受信されたエリア許可検定用情報に基づき当該第２のカード所持者の目的とする管理エリアに対する通行の可否を判定する第２の判定手段とを具備している。
【０００７】
また、本発明の入退場管理方法は、複数の管理エリアを有し、これら各管理エリアには互いに他の管理エリアへ移動するための出入口が設けられている施設において、前記各管理エリアに対する入退場を管理する入退場管理方法であって、少なくとも検定情報が記録されている第１のカードと、この第１のカードに従属し、少なくとも当該第１のカードの検定情報と所定の関係を持つ検定情報が記録されている第２のカードと、前記複数の管理エリアの出入口にそれぞれ設置され、対応する管理エリアに対する入退場を管理する複数の入退場管理装置と、これら複数の入退場管理装置とそれぞれ通信可能に接続された管理装置とを有し、前記入退場管理装置により、第１のカード所持者が提示する前記第１のカードから検定情報を読取る第１の読取ステップと、前記入退場管理装置により、前記第１の読取ステップにより読取られた検定情報に基づき当該第１のカード所持者の目的とする管理エリアに対する通行の可否を判定する第１の判定ステップと、前記入退場管理装置により、前記第１の判定ステップによる判定の結果、当該第１のカード所持者に対し通行可と判定された場合、このときの当該第１のカードに係る通行履歴情報を前記管理装置へ送信する送信ステップと、前記管理装置により、前記送信ステップにより送信された通行履歴情報を受信する第１の受信ステップと、前記管理装置により、前記第１の受信ステップにより受信された通行履歴情報に基づき、当該第１のカード所持者の存在位置に対する第２のカード所持者の入場可能な管理エリアの制限や通行方向の制限などを行なうためのエリア許可検定情報を対象となる出入口に設置された入退場管理装置へ配信する配信ステップと、前記入退場管理装置により、前記配信ステップにより送信されたエリア許可検定情報を受信する第２の受信ステップと、前記入退場管理装置により、前記第２のカード所持者が提示する第２のカードから検定情報を読取る第２の読取ステップと、前記入退場管理装置により、前記第２の読取ステップにより読取られた検定情報および前記第２の読取ステップにより受信されたエリア許可検定用情報に基づき当該第２のカード所持者の目的とする管理エリアに対する通行の可否を判定する第２の判定ステップとを具備している。
【発明の効果】
【０００８】
本発明によれば、第１のカード（親カード）と第２のカード（子カード）の相互の位置関係を持たせることにより、第２のカード所持者による第２のカードの不正使用防止等が図れ、管理向上を図ることができる入退場管理システムおよび入退場管理方法を提供できる。
【発明を実施するための最良の形態】
【０００９】
以下、本発明の実施の形態について図面を参照して説明する。  
図１は、本発明に係る入退場管理システムの構成を概略的に示すものである。図１において、複数の入退場管理装置１１ａ，１１ｂ，…は、後述するように複数の管理エリアの各出入口にそれぞれ設置されるもので、ラン（ＬＡＮ）などの通信回線１２を介して管理装置としての管理サーバ１３に互いに通信可能に接続されている。
【００１０】
複数の入退場管理装置１１ａ，１１ｂ，…は、たとえば、管理責任者が所持する非接触式の親カード（第１のカード）Ｃ１、および、この親カードＣ１に従属し、作業者などの従属者が所持する非接触式の子カード（第２のカード）Ｃ２からそれに記録されている検定情報を無線通信により読取る読取手段としての非接触式のカードリーダ１４ａ，１４ｂ、各種操作案内などを表示する表示装置１５、出入口の通行を双方向に制御する通行ゲート１６、これらを制御するとともに通行（入退場）の可否判定処理などを行なう管理コントローラ１７によって構成されている。なお、表示装置１５は、たとえば、通行ゲート１６上に設置されているものとする。
【００１１】
親カードＣ１は、たとえば、上記したように管理責任者が所持するもので、非接触式（無線式）のＩＣカードによって構成されていて、内部のメモリには少なくとも検定情報（たとえば、シリアル番号などの固有の個人コード）が記録されている。  
子カードＣ２は、たとえば、上記したように作業者などの従属者が所持するもので、親カードＣ１と同様に、非接触式（無線式）のＩＣカードによって構成されていて、内部のメモリには少なくとも対応する親カードＣ１の検定情報と所定の関係を持つ検定情報、この例の場合は親カードＣ１の検定情報と同一の検定情報が記録されている。
【００１２】
非接触式のカードリーダ１４ａ，１４ｂは、上記したように親カードＣ１および子カードＣ２からそれに記録されている検定情報を無線通信により読取るもので、入退場申請機能を備えているものとする。
【００１３】
また、入場申請装置１８は、後述するように管理する施設の出入口に設置されるもので、たとえば、親カードＣ１および子カードＣ２からそれに記録されている検定情報を無線通信により読取る読取手段としての非接触式のカードリーダ１９、顔画像などの生体照合を行なう生体照合装置２０、従業員証などを読取るスキャナ２１によって構成されていて、通信回線１２を介して管理サーバ１３に互いに通信可能に接続されている。
【００１４】
管理サーバ１３は、全体的な制御を行なうとともに、検定用情報（たとえば、シリアル番号などの固有の個人コード）、通行履歴情報、親カードＣ１および子カードＣ２の存在エリア情報、親カードＣ１に対する各エリアの順位情報（これにより、通行方向や滞留時間の制限が行なわれる）などを管理する。
【００１５】
図２は、本発明に係る管理エリアの具体例および入退場管理装置の設置例を模式的に示している。図２において、３１は管理する施設（たとえば、空港、港湾、共同施設など）で、たとえば１つの出入口３２が設けられている。出入口３２には、前記入場申請装置１８が設置されている。
【００１６】
施設３１内には、複数、この例では例えば３つの管理エリア（以降、作業エリアとも称す）３３ａ，３３ｂ，３３ｃが並設されていて、これら管理エリア３３ａ，３３ｂ，３３ｃには互いに他の管理エリアへ移動するための出入口３４ａ，３４ｂ，３４ｃ，３４ｄ，３４ｅ，３４ｆが設けられている。すなわち、この例では、出入口３４ａ，３４ｂ，３４ｃは管理エリア３３ａ，３３ｂ間を互いに移動するためのものであり、出入口３４ｄ，３４ｅ，３４ｆは管理エリア３３ｂ，３３ｃ間を互いに移動するためのものである。
【００１７】
出入口３４ａ，３４ｂ，３４ｃ，３４ｄ，３４ｅ，３４ｆには、それぞれ前記入退場管理装置１１ａ，１１ｂ，１１ｃ，１１ｄ，１１ｅ，１１ｆが設置されている。この場合、各入退場管理装置１１ａ〜１１ｆの一方のカードリーダ１４ａは一方の管理エリア内に設置され、他方のカードリーダ１４ｂは他方の管理エリア内に設置されている。
【００１８】
また、管理エリア３３ａ，３３ｂ内には、さらに管理エリア（事務室など）３５ａ，３５ｂが存在していて、これら管理エリア３５ａ，３５ｂの各出入口３６ａ，３６ｂには、それぞれ前記入退場管理装置１１ｇ，１１ｈが設置されている。この場合、各入退場管理装置１１ｇ，１１ｈの一方のカードリーダ１４ａは管理エリアの外側に設置され、他方のカードリーダ１４ｂは管理エリアの内側に設置されている。
【００１９】
次に、このような構成において図２、図３、図４を参照して動作を説明する。  
図２は、前述したように管理エリアの具体例および入退場管理装置の設置例を示すとともに、親カードＣ１および子カードＣ２による入退場管理動作を説明するためのものである。動作は、親カードＣ１が作業エリア３３ａを順位３（以降、作業エリア順位３とも称す）→作業エリア３３ｂを順位２（以降、作業エリア順位２とも称す）→作業エリア３３ｃを順位１（以降、作業エリア順位１とも称す）と、順次子カードＣ２に対する申請を行なうことで、許可を与え、親カードＣ１自らも移動して行くものとする。図２では、親カード所持者は、順位２の作業エリア３３ｂにおいて、たとえば、作業エリア３３ｃへ移動するための出入口３４ｄにおいて申請を行なうことで、許可され、作業エリア３３ｃへ移動する場合の例である。
【００２０】
なお、図２の例では、順位３の作業エリア３３ａにおいて、当該作業エリア３３ａ内に存在する子カードＣ２は、当該作業エリア３３ａ内の管理エリア３５ａへの移動は不可、順位２の作業エリア３３ｂへの移動は不可とする。また、不正使用として管理サーバ１３に通知される。
【００２１】
また、順位２の作業エリア３３ｂにおいて、当該作業エリア３３ｂ内に存在する子カードＣ２は、当該作業エリア３３ｂ内の管理エリア３５ｂへの移動は可、順位１の作業エリア３３ｃへの移動は可、順位３の作業エリア３３ａへの移動は不可とする。また、一定時間以内に移動しない場合は、不正使用として管理サーバ１３に通知される。
【００２２】
また、順位１の作業エリア３３ｂにおいて、当該作業エリア３３ｂ内に存在する子カードＣ２は、順位２の作業エリア３３ｂへの移動は不可とする。また、親カードＣ１が存在する場合は、正常使用として管理サーバ１３に通知される。
【００２３】
図３は、管理コントローラ１７へのエリア許可検定情報等の配信方法について説明するための模式図である。
【００２４】
図４は、全体的な動作の流れを示すフローチャートであり、以下、このフローチャートに基づく動作を説明する。  
待機状態（ステップＳ１）において、親カードＣ１を所持した親カード所持者が、ある作業エリアに入場および子カードＣ２に対する入場申請（子カードＣ２の許可）を行なう場合、当該親カードＣ１をカードリーダ１４ａ（１４ｂ）にかざすことで、親カードＣ１から検定情報（個人コードなど）が読取られる（ステップＳ２）。ここに、このステップＳ２の処理が本発明における第１の読取手段に対応している。  
なお、場合によっては、カードリーダ１４ａ（１４ｂ）に設置されている入場申請（子カードの許可）のためのボタンを押下することもあるものとする。
【００２５】
カードリーダ１４ａ（１４ｂ）は、親カードＣ１から読取った検定情報を管理コントローラ１７に送信する。管理コントローラ１７は、受信した検定情報と、あらかじめ管理サーバ１３から配信されて登録されている検定用情報（個人コードなど）とを照合することで通行可否の判定を行ない、通行不可の場合はステップＳ１の待機状態に戻る（ステップＳ３）。ここに、このステップＳ３の処理が本発明における第１の判定手段に対応している。
【００２６】
ステップＳ３での判定の結果、通行可の場合、管理コントローラ１７は、管理サーバ１３に対してエリア許可検定情報の要求を送信する（ステップＳ４）。この要求を受けた管理サーバ１３は、たとえば、子カードＣ２の存在エリア情報および親カードＣ１の所持者が出入口を通過することで更新されるエリアの順位情報などエリア許可検定情報として管理コントローラ１７へ送信する（ステップＳ５）。
【００２７】
エリア許可検定情報を受信した管理コントローラ１７は、当該エリア許可検定情報に基づき、親カードＣ１の所持者が出入口３４ｄを通過することで、順位３になる作業エリア３３ａに子カードＣ２の所持者が存在するか否かを判定する（ステップＳ６）。この判定の結果、子カードＣ２の所持者が存在しない場合、管理コントローラ１７は、通行ゲート１６を開状態になるよう制御するとともに、カードリーダ１４ａ（１４ｂ）の表示部に「通行可」の表示を行なう（ステップＳ７）。ここに、このステップＳ６の処理が本発明における第２の判定手段に対応している。
【００２８】
ステップＳ６による判定の結果、子カードＣ２の所持者が存在する場合、管理コントローラ１７は、表示装置１５において、順位３の作業エリア３３ａに子カードＣ２の所持者が存在する旨の表示を行なう（ステップＳ８）。その後、管理コントローラ１７は、あらかじめ内部スイッチなどで設定される設定に基づき通行可否の判定を行なう（ステップＳ９）。ここに、このステップＳ８の処理が本発明における報知手段に対応している。
【００２９】
すなわち、管理コントローラ１７は、たとえば、あらかじめ内部スイッチなどで「子カードが順位３になる場合の親カード所持者の通行設定」において通行可否の設定ができるようになっている。これにより、ステップＳ９による判定の結果、「通行可」に設定されている場合はステップＳ７に進んで、通行ゲート１６を開き、「通行不可」に設定されている場合はステップＳ１の待機状態に戻る。
【００３０】
次に、管理コントローラ１７は、通行ゲート１６に設置された通過センサ（図示しない）などにより、当該親カード所持者が通行ゲート１６を通過したか否かを確認し（ステップＳ１０）、通過を確認できなかった場合はステップＳ１の待機状態に戻る。ステップＳ１０において通過を確認できた場合、管理コントローラ１７は、このときの通行履歴情報（入場履歴情報）を管理サーバ１３へ送信する（ステップＳ１１）。ここに、このステップＳ１１の処理が本発明における送信手段に対応している。
【００３１】
通行履歴情報を受信した管理サーバ１３は、当該通行履歴情報に基づきエリア許可検定情報の更新を行なう（ステップＳ１２）。すなわち、たとえば、親カードＣ１および子カードＣ２の各存在エリア情報の更新や入退場管理装置ごとの子カードＣ２の順位情報の更新などを行なう。ここに、このステップＳ１２の処理が本発明における第１の受信手段に対応している。
【００３２】
次に、管理サーバ１３は、更新したエリア許可検定情報を各入退場管理装置１１ａ〜１１ｈの管理コントローラ１７にそれぞれ配信し（ステップＳ１３）、ステップＳ１の待機状態に戻る。ここに、このステップＳ１３の処理が本発明における配信手段に対応している。管理コントローラ１７は、管理サーバ１３から配信されたエリア許可検定情報を受信する（ステップＳ１４）。ここに、このステップＳ１４の処理が本発明における第２の受信手段に対応している。
【００３３】
管理コントローラ１７は、管理サーバ１３から配信されたエリア許可検定情報を受信することにより、子カード所持者に対して通行を許可したり、当該エリア許可検定情報により、子カード所持者に対する作業エリアの制限、滞留時間の制限、通行ゲート１６の通行方向の制限などを行なう。具体的には、たとえば、図２の例のような入退場管理が行なわれる。
【００３４】
すなわち、順位３の作業エリア３３ａにおいて、当該作業エリア３３ａ内に存在する子カードＣ２は、当該作業エリア３３ａ内の管理エリア３５ａへの移動は不可、順位２の作業エリア３３ｂへの移動は不可とする。また、不正使用として管理サーバ１３に通知される。  
順位２の作業エリア３３ｂにおいて、当該作業エリア３３ｂ内に存在する子カードＣ２は、当該作業エリア３３ｂ内の管理エリア３５ｂへの移動は可、順位１の作業エリア３３ｃへの移動は可、順位３の作業エリア３３ａへの移動は不可とする。また、一定時間以内に移動しない場合は、不正使用として管理サーバ１３に通知される。  
順位１の作業エリア３３ｂにおいて、当該作業エリア３３ｂ内に存在する子カードＣ２は、順位２の作業エリア３３ｂへの移動は不可とする。また、親カードＣ１が存在する場合は、正常使用として管理サーバ１３に通知される。
【００３５】
次に、待機状態（ステップＳ１）において、子カードＣ２を所持した子カード所持者が、ある作業エリアに入場する場合、当該子カードＣ２をカードリーダ１４ａ（１４ｂ）にかざすことで、子カードＣ２から検定情報（個人コードなど）が読取られる（ステップＳ１５）。ここに、このステップＳ１５の処理が本発明における第２の読取手段に対応している。
【００３６】
カードリーダ１４ａ（１４ｂ）は、親カードＣ１から読取った検定情報を管理コントローラ１７に送信する。管理コントローラ１７は、受信した検定情報と、あらかじめ管理サーバ１３から配信されて登録されている検定用情報（個人コードなど）とを照合するとともに、ステップＳ１３で管理サーバ１３から配信されたエリア許可検定情報を参照することで通行可否の判定を行ない（ステップＳ１６）、通行不可の場合はステップＳ１の待機状態に戻る。ステップＳ１６での判定の結果、通行可の場合はステップＳ７に進んで、通行ゲート１６を開き、以下、前記同様な動作を行なう。ここに、このステップＳ１６の処理が本発明における第３の判定手段に対応している。
【００３７】
なお、ステップＳ６での判定の結果、順位３になる作業エリア３３ａに子カード所持者が存在する場合には、前述したように表示装置１５により順位３の作業エリア３３ａに子カード所持者が存在する旨の表示を行なうが、さらに以下のような動作も可能である。
【００３８】
すなわち、施設３１の出入口３２に設置された入場申請装置１８により、親カードＣ１の読取りおよび生体照合を行なった後、子カードＣ２を読取り、生体情報（顔画像など）および個人情報（従業員証など）を読取って登録を行ない、管理サーバ１３に送信して、管理者との親子関係を持たせて管理することで、親カードＣ１で申請の際、順位３の作業エリア３３ａにいる子カード所持者が存在した場合、当該子カード所持者の生体情報（顔画像など）を表示装置１５で表示することにより、場所および顔画像で確認することができ、利便性を向上することが可能となる。
【００３９】
以上詳述したように、上記実施の形態によれば、親カード所持者が存在する作業エリアを中心に順位を付けることで、子カード所持者の通行方向や滞留時間等を指定することにより、子カード所持者の管理向上を図ることができる。  
また、親カードおよび子カードの相互の位置関係を持たせることにより、子カード所持者に対する不正使用等に対し、管理者および管理サーバ側での管理が容易になる。
【図面の簡単な説明】
【００４０】
【図１】本発明の実施の形態に係る入退場管理システムの構成を概略的に示すブロック図。
【図２】本発明に係る管理エリアの具体例および入退場管理装置の設置例を模式的に示す図。
【図３】管理コントローラへのエリア許可検定情報等の配信方法について説明するための模式図。
【図４】全体的な動作の流れを示すフローチャート。
【符号の説明】
【００４１】
１１ａ〜１１ｈ…入退場管理装置、１２…通信回線、１３…管理サーバ（管理装置）、Ｃ１…親カード（第１のカード）、Ｃ２…子カード（第２のカード）、１４ａ，１４ｂ…カードリーダ（読取手段）、１５…表示装置、１６…通行ゲート、１７…管理コントローラ、１８…入場申請装置、３１…施設、３２…出入口、３３ａ，３３ｂ，３３ｃ…管理エリア、３４ａ，３４ｂ，３４ｃ，３４ｄ，３４ｅ，３４ｆ…出入口。
【図１】
2006059159.tif 000003
【図２】
2006059159.tif 000004
【図３】
2006059159.tif 000005
【図４】
2006059159.tif 000006